(57)【要約】【課題】ＢＧＭ入りで作成したコンテンツをＢＧＭに使用している楽曲の著作権を侵害することなく第三者に配布できるシステムを提供する。【解決手段】コンテンツ配布手段と、コンテンツ取得手段と、サーバーと、インターネット通信網とで構成され、前記コンテンツ配布手段は動画ファイルにＢＧＭを関連付けてメタ情報として保存するコンテンツ作成手段と、前記作成手段で作成されたコンテンツをサーバーへアップロードするアップロード手段とを含み、前記コンテンツ取得手段は前記アップロード手段にてサーバーへアップロードされたコンテンツをダウンロードするダウンロード手段と、前記ダウンロード手段にてダウンロードされたコンテンツのメタ情報を解析し前記コンテンツの再生にＢＧＭとして必要な楽曲を提示しオンラインストアでの購入を促す楽曲購入手段と、前記楽曲購入手段にて購入した音楽ファイルを前記コンテンツの前記メタ情報に従い前記コンテンツの再生時にＢＧＭとして好適なタイミングで同時に再生する再生手段とを含む。【選択図】図１
2015060147.tif 000002
【特許請求の範囲】
【請求項１】
ＢＧＭ入りのコンテンツを第三者に配布するコンテンツ配信システムにおいて、コンテンツ配布手段と、コンテンツ取得手段と、サーバーと、インターネット通信網とで構成され、前記コンテンツ配布手段は動画ファイルにＢＧＭを関連付けてメタ情報として保存するコンテンツ作成手段と、前記作成手段で作成されたコンテンツをサーバーへアップロードするアップロード手段とを含み、前記コンテンツ取得手段は前記アップロード手段にてサーバーへアップロードされた前記コンテンツをダウンロードするダウンロード手段と、前記ダウンロード手段にてダウンロードされた前記コンテンツのメタ情報を解析し前記コンテンツの再生にＢＧＭとして必要な楽曲を提示しオンラインストアでの購入を促す楽曲購入手段と、前記楽曲購入手段にて購入した音楽ファイルを前記コンテンツの前記メタ情報に従い前記コンテンツの再生時にＢＧＭとして好適なタイミングで同時に再生する再生手段とを含むことを特徴とするコンテンツ配信システム。
【請求項２】
請求項１に記載のコンテンツ配信システムにおいて、コンテンツのメタ情報を解析するステップと、コンテンツにＢＧＭとして必要な音楽ファイルが端末のストレージに保存されているかを判断するステップと、保存されていない場合にオンラインストアでの前記音楽ファイルの購入を促すステップと、購入した音楽ファイルを端末にダウンロードするステップと、購入しなかった場合に代替えの音楽ファイルを選択させるステップと、前記メタ情報を基にコンテンツおよび音楽ファイルを好適なタイミングで同時に再生するコンテンツ再生用プログラム。
【発明の詳細な説明】
【技術分野】
【０００１】
本発明はコンテンツの配信システムおよびコンテンツ再生用プログラムに関する。
【背景技術】
【０００２】
最近は家庭用デジタルビデオカメラの普及が進み、撮影した動画ファイルに好きな楽曲をＢＧＭとして挿入するなどして編集し個人的に動画コンテンツを作成して楽しむ人が増えており、またそのための編集ツールも多い。
【０００３】
例えば、特許文献１には、ＢＧＭを自動的に挿入できる撮像記録装置が記載されている。
【０００４】
しかしながら、そのように個人的に作成した動画コンテンツを友人等の第三者に配布したいと思ってもＢＧＭとして使用している楽曲が市販の楽曲等である場合は、配布することが著作権上許されない場合が多く、またそのようなプライベートなコンテンツのために楽曲の使用権を権利者から取得することも費用面で現実的ではなく、結果として個人の趣味等で作成したＢＧＭ入りの動画コンテンツを第三者に配布することは難しいという問題があった。
【先行技術文献】
【特許文献】
【０００５】
【特許文献１】特開２００４−２２１６６６号公報
【発明の概要】
【発明が解決しようとする課題】
【０００６】
本発明によるコンテンツ配信システムは前記問題点を解決すべくなされたものであって、ＢＧＭ入りで作成した動画コンテンツをＢＧＭに使用している楽曲の著作権を侵害することなく、第三者に配布できるシステムを提供することをその目的とする。
【課題を解決するための手段】
【０００７】
前記目的を達成すべく、本発明によるコンテンツ配信システムは、コンテンツ配布手段と、コンテンツ取得手段と、サーバーと、インターネット通信網とで構成され、前記コンテンツ配布手段は動画ファイルにＢＧＭを関連付けてメタ情報として保存するコンテンツ作成手段と、前記作成手段で作成されたコンテンツをサーバーへアップロードするアップロード手段とを含み、前記コンテンツ取得手段は前記アップロード手段にてサーバーへアップロードされた前記コンテンツをダウンロードするダウンロード手段と、前記ダウンロード手段にてダウンロードされた前記コンテンツのメタ情報を解析し前記コンテンツの再生にＢＧＭとして必要な楽曲を提示しオンラインストアでの購入を促す楽曲購入手段と、前記楽曲購入手段にて購入した音楽ファイルを前記コンテンツの前記メタ情報に従い前記コンテンツの再生時にＢＧＭとして好適なタイミングで同時に再生する再生手段とを含む。
【発明の効果】
【０００８】
本発明によれば、家庭用デジタルビデオレコーダー等で撮影した動画を個人的に楽しむために好きな楽曲をＢＧＭとして挿入し編集した楽曲入り動画コンテンツを楽曲の著作権を侵害することなく第三者に配布できる。
【図面の簡単な説明】
【０００９】
【図１】本システムの概略を示すブロック図である。
【図２】本システムのコンテンツ再生用プログラムの処理の流れを示すフローチャートである。
【発明を実施するための形態】
【００１０】
以下、図面を参照し本発明の実施例を詳細に説明する。
【実施例１】
【００１１】
本システムは図１に示すとおり、コンテンツ配布手段１と、コンテンツ取得手段２と、サーバー１０と、インターネット通信網１１とから構成される。
【００１２】
前記コンテンツ配布手段１はコンテンツの配布者側が行う処理であり、コンテンツ作成手段３とアップロード手段６とを含み、前記配布者のパソコンやスマートフォン等の端末で行われる。前記コンテンツ作成手段３では、まず配布するコンテンツを作成する。前記コンテンツ作成手段３において前記動画ファイル４の再生時の任意の箇所にＢＧＭとして流したい楽曲の音楽ファイルを指定させるが、その際前記動画ファイル４と前記音楽ファイルとを合成することはせず、実際に行われるのは前記動画ファイル４と前記音楽ファイルとを関連付ける作業のみであり、前記音楽ファイルを特定するための情報や購入先情報、ＢＧＭとしての前記音楽ファイルの前記動画ファイルへの挿入位置や前記音楽ファイルの再生開始位置および再生終了位置等がメタ情報５として作成される。
【００１３】
次にアップロード手段４にて、前記コンテンツ作成手段で作成された前記メタ情報と前記動画ファイルとを配布用コンテンツとして前記サーバー１０へ、前記インターネット１１を介してアップロードする。アップロードされた前記コンテンツはダウンロード可能な状態で前記サーバー１０内に置かれる。前記コンテンツを配布したい相手にはこのサーバー１０のダウンロード用のＵＲＬを通知することをもって配布する。
【００１４】
次にコンテンツ取得手段２は、前記コンテンツ配布手段１で配布された前記コンテンツを受け取る側の処理であり、前記受け取る側のパソコンまたはスマートフォン等の端末上で行われる。前記コンテンツのダウンロード手段７と、コンテンツの再生に必要な楽曲の音楽ファイルを購入する楽曲購入手段と、前記ダウンロード手段でダウンロードした前記コンテンツおよび前記楽曲購入手段にて購入した前記音楽ファイルとを前記コンテンツのメタ情報を解析することにより好適なタイミングで同時再生する再生手段９とを含む。
【００１５】
図２に示すのは、コンテンツを受け取る側において、前記取得手段２におけるダウンロード手段７によって端末に取得したコンテンツを本システムのコンテンツ再生用プログラムが再生する処理の流れを説明するためのフローチャートである。本システムのコンテンツ再生用プログラムは、ダウンロードされた前記コンテンツのメタ情報を解析するステップ２１において、コンテンツ再生のために必要な楽曲を特定するための情報と前記楽曲の再生方法に関する情報とを得る。楽曲を特定するための情報とは、例えば楽曲のアルバム名とトラック番号または楽曲固有のＩＤ番号やオンラインストアでの購入ページのＵＲＬ等がある。また楽曲の再生方法に関する情報とは、コンテンツ再生時の楽曲の再生開始位置や終了位置、リピート回数等である。
【００１６】
次に、端末内のストレージに必要な音楽ファイルがあるかを判断するステップ２２では、楽曲を購入しなくとも同じ音楽ファイルがすでに端末内に記録されている場合に備え、前記端末内のミュージックフォルダ等を調べる。同じ楽曲の音楽ファイルが見つかった場合は、オンラインストアでの楽曲の購入を促すステップ２３をスキップし、コンテンツを再生するステップ２６において、前記メタ情報から得た再生方法を基に前記コンテンツと前記音楽ファイルの再生を開始する。
【００１７】
前記端末内にメタ情報で指定された楽曲の音楽ファイルが見つからない場合は、オンラインストアでの楽曲の購入を促す画面を端末に表示する（ステップ２３）。また、ステップ２３においては、楽曲を購入するかどうかの選択肢を与え、楽曲が購入された場合は、購入した楽曲の音楽ファイルを前記オンラインストアよりダウンロード端末内に保存し、コンテンツを再生するステップ２６において、前記メタ情報から得た再生方法を基に前記コンテンツと前記ダウンロードした音楽ファイルの再生を開始する。また楽曲の購入が行われなかった場合でも端末にあらかじめ記録されている他の楽曲を代替えのＢＧＭとして選択させ（ステップ２５）、コンテンツを再生するステップ２６において、コンテンツと同時に再生できるようにする。代替えのＢＧＭが選択されない場合は、コンテンツを再生するステップ２６において、ＢＧＭなしでコンテンツの再生を行う。
【産業上の利用可能性】
【００１８】
結婚式の記念ビデオや自主制作映画等のコンテンツで、ポピュラーソング等市販の楽曲をＢＧＭとして取り入れた作品を配布したい場合に本システムを利用すれば楽曲の著作権を侵害することなく配布することができる。配布するコンテンツそのものには楽曲の音声は含まれておらず、コンテンツと楽曲を関連付けるメタ情報のみが添付される。コンテンツの配布を受けた側はコンテンツ再生時に指定された楽曲をオンラインストアで購入することによりコンテンツ制作者が意図したとおりのＢＧＭ付きコンテンツを鑑賞することができる。
【符号の説明】
【００１９】
１    コンテンツの配布手段
２    コンテンツ取得手段
３    コンテンツ作成手段
４    動画ファイル
５    メタ情報
６    アップロード手段
７    ダウンロード手段
８    楽曲購入手段
９    再生手段
１０  サーバー
１１  インターネット
２１  メタ情報を解析するステップ
２２  端末内のストレージに必要な音楽ファイルがあるかを判断するステップ
２３  オンラインストアでの楽曲の購入を促すステップ
２４  楽曲をダウンロード購入するステップ
２５  代替えの音楽ファイルを選択させるステップ
２６  コンテンツを再生するステップ
【図１】
2015060147.tif 000003
【図２】
2015060147.tif 000004